【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
ディスク(102)を送り出すための押出部(172、174)を有する回転ディスク(110)、
前記回転ディスク(110)の側方に固定状態に配置された第１ガイド(200)、
前記第１ガイド(200)及び前記回転ディスク(110)の側方に位置し、前記第１ガイド(200)から前記ディスク(102)の直径以下の距離離れた待機位置(SB)と前記ディスク(102)によって移動される払出位置(DP)とに移動でき、前記第1ガイド(200)へ向けて弾性的に付勢され、かつ、ディスク通過検知手段(116)を構成する第２ガイド(202)、
前記第１ガイド(200)と前記第２ガイド(202)の間を通過した前記ディスク(102)が移動する払出通路(208)を備え、
前記回転ディスク(110)の回転と共に移動する前記押出部(172、174)によって前記ディスク(102)を押動して前記第1ガイド(200)と前記第2ガイド(202)との間に押し込んだ後、前記第2ガイド(202)によって前記払出通路(208)へ弾き出して前記払出通路(208)の出口(226)から払い出すようにしたディスクホッパであって、
前記第２ガイド(202)の移動に連動して移動し、かつ、前記第２ガイド(202)が前記払出位置(DP)にあるとき前記第1ガイド(200)及び前記第2ガイド(202)よりも下流の前記払出通路(208)において前記第1ガイド(200)の側壁(272)との間隔が前記ディスクの(102)の直径以下になる邪魔位置(OP)に位置し、前記第2ガイド(202)が前記待機位置(SB)にあるとき前記側壁(272)から前記ディスク(102)の直径以上離れた解放位置(FP)に位置する邪魔手段(260)を有し、
前記邪魔手段(260)は前記邪魔位置(OP)に位置するとき、前記側壁(272)と協働して前記第1ガイド(200)と前記第2ガイド(202)との間を通過した前記ディスク(102)の前記払出通路(208)における前記出口(226)への進行を阻止し、前記解放位置(FP)に位置するとき前記第2ガイド(202)によって前記払出通路(208)へ弾き出された前記ディスク(102)の前記出口(226)への通過を許すこと
を特徴とする不正防止装置を備えたディスクホッパ。
【請求項２】
ディスク(102)を送り出すための押出部(172、174)を有する回転ディスク(110)、
前記回転ディスク(110)が配置され、かつ、一部周面に払出開口(138)が設けられている円形のガイド穴(132)、
前記払出開口(138)における前記回転ディスク(110)の側方に固定状態に配置された第１ガイド(200)、
前記第１ガイド(200)及び前記回転ディスク(110)の側方に位置し、前記第１ガイド(200)から前記ディスク(102)の直径以下の距離離れた待機位置(SB)と前記ディスク(102)によって移動される払出位置(DP)とに移動でき、前記第1ガイド(200)へ向けて弾性的に付勢され、かつ、ディスク通過検知手段(116)を構成する第２ガイド(202)、
前記第１ガイド(200)と前記第２ガイド(202)の間を通過した前記ディスク(102)が移動する払出通路(208)を備え、
前記回転ディスク(110)の回転と共に移動する前記押出部(172、174)によって前記ディスク(102)を押動して前記第1ガイド(200)と前記第2ガイド(202)との間へ押し込んだ後、前記第2ガイド(202)によって前記払出通路(208)へ弾き出すようにしたディスクホッパであって、
前記第２ガイド(202)の移動に連動して移動し、かつ、前記第２ガイド(202)が前記払出位置(DP)にあるとき前記第1ガイド(200)及び前記第2ガイド(202)よりも下流の前記払出通路(208)における邪魔位置(OP)に位置すると共に前記待機位置(SB)にあるとき前記払出通路(208)における解放位置(FP)に位置する邪魔手段(260)を有し、
前記邪魔手段(260)は前記邪魔位置(OP)に位置するとき、前記第1ガイド(200)と前記第2ガイト(202)との間を通過した前記ディスク(102)を前記払出通路(208)において停止し、前記邪魔手段(260)によって停止された前記ディスク(102)の後端が前記ガイド穴(132)の外周に位置し、前記邪魔手段(260)が前記解放位置(FP)に位置するとき前記第2ガイド(202)によって前記払出通路(208)へ弾き出された前記ディスク(102)の前記出口(226)への通過を許すこと
を特徴とする不正防止装置を備えたディスクホッパ。
【請求項３】
前記第２ガイド(202)と前記邪魔手段(260)は中間をピボット運動可能に支持された揺動レバ(190)の一端部と他端部にそれぞれ取り付けられ、
前記揺動レバ(190)と一体的に移動する作用片(230)が前記ディスク通過検知手段(116)の一部を構成することを特徴とする請求項１又は2の不正防止装置を備えたディスクホッパ。
【請求項４】
さらに、前記回転ディスク(110)によって連れ回りされる前記ディスク(102)の移動通路(183)に突出し、このディスク(102)を前記回転ディスク(110)の周方向へ案内する周方向案内装置(112)を備え、
前記周方向案内装置(112)は前記ディスク(102)から所定の力を受けた場合、前記移動通路(183)から退避可能である請求項１又は2の不正防止装置を有するディスクホッパ。
【請求項５】
前記周方向案内装置(112)は、前記揺動レバ(190)に固定された規制体(180、182)であり、
前記揺動レバ(190)は前記回転ディスク(110)に対し平行な面内であって、かつ、前記ディスク(102)が移動する底部(144)よりも下方に位置する軸線(189)を中心にピボット運動可能であり、さらに、付勢手段(192)によって弾性的に前記回転ディスク(110)に向かって付勢されている請求項4の不正防止装置を有するディスクホッパ。
【請求項６】
ディスク(102)を送り出すための押出部(172、174)を有する回転ディスク(110)、
前記回転ディスク(110)の側方に固定状態に配置された第１ガイド(200)、
前記第１ガイド及び前記回転ディスク(110)の側方に位置し、前記第１ガイド(200)から前記ディスク(102)の直径以下の距離離れた待機位置(SB)と前記ディスク(102)によって移動される払出位置(DP)とに移動でき、前記第1ガイド(200)へ向けて弾性的に付勢され、かつ、ディスク通過検知手段(116)を構成する第２ガイド(202)、
前記第１ガイド(200)と前記第２ガイド(202)の間を通過したディスク(102)が前記回転ディスク(110)の周方向へ移動する払出通路(208)を含み、
前記回転ディスク(110)の回転と共に移動する前記押出部(172、174)によって前記ディスク(102)を押動して前記第1ガイド(200)と前記第2ガイド(202)との間へ押し込んだ後、前記第2ガイド(202)によって前記払出通路(208)へ弾き出して前記払出通路(208)の出口(226)から払い出すと共に前記ディスク通過検知手段(116)から、払出されたディスクの計数のための検知信号(DS)を出力するようにしたディスクホッパであって、
前記第２ガイド(202)の移動に連動して移動すると共に、前記第２ガイド(202)が棒状体等により前記ディスク(102)の通過可能位置に強制的に移動されたときに前記第1ガイド(200)及び第2ガイド(202)よりも下流の前記払出通路(208)において、前記ディスク(102)の前記出口(226)への進行を阻止する邪魔位置(OP)に位置し、前記第2ガイド(202)が前記待機位置(SB)に位置するとき前記ディスク(102)の前記出口(226)への通過を許す解放位置(FP)に位置する邪魔手段(260)を有し、
前記ディスク通過検知手段(116)は、前記第２ガイド(202)の前記ディスク(102)が通過可能な前記払出位置(DP)へ移動されたことを検知して検知信号(DS)を出力することを特徴とする不正防止装置を備えたディスクホッパ。
【請求項７】
固定軸（214）に対しピボット運動可能な揺動レバ(190)に取り付けた前記第２ガイド(202)、
前記固定軸（214）を挟んで前記揺動レバ(190)の反対側に伸びる第２レバ（262）に取り付けられた前記邪魔手段(260)、
前記揺動レバ(190)に連なる腕（236）の前記第２ガイド(202)よりも前記固定軸（214）から遠い位置に形成したディスク通過検知手段（116）を構成する作用片（230）を有すること
を特徴とする請求項6に記載した不正防止装置を備えたディスクホッパ。
【請求項８】
ホッパベース(106)に形成された有底かつ円形のガイド穴(132)
前記回転ディスク(110)が配置され、かつ、一部周面に払出開口(138)が設けられている円形のガイド穴(132)、
前記払出開口(138)における前記回転ディスク(110)の側方に固定状態に配置された第１ガイド(200)、
前記第１ガイド(200)及び前記ガイド穴(132)の側方に位置し、前記第１ガイド(200)から前記ディスク(102)の直径以下の距離離れた待機位置(SB)と前記ディスク(102)によって移動される払出位置(DP)とに移動でき、前記第1ガイド(200)へ向けて弾性的に不正され、かつ、ディスク通過検知手段(116)を構成する第２ガイド(202)、
前記払出開口(138)に連続して前記ガイド穴(132)の周方向に延在する払出通路(208)、
前記回転ディスク(110)の回転と共に移動する前記押出部(172、174)によって前記ディスク(102)を押動して前記第1ガイド(200)と前記第2ガイド(202)との間に押し込んだ後、前記第2ガイド(202)によって前記払出通路(208)へ弾き出した後、前記払出通路(208)の出口(226)から払い出すようにしたディスクホッパであって、
前記第２ガイド(202)の移動に連動して移動し、前記第２ガイド(202)が前記払出位置(DP)にあるとき前記払出通路(208)における前記ディスク(102)の進行を阻止する邪魔位置(OP)に位置し、前記払出通路(208)と協働して前記第1ガイド(200)と前記第2ガイド(202)との間を通過した前記ディスク(102)の前記払出通路(208)における前記出口(226)への進行を阻止し、前記待機位置(SB)に対応する解放位置(FP)に位置するとき前記第2ガイド(202)によって前記払出通路(208)へ弾き出された前記ディスク(102)の前記出口(226)への通過を許す邪魔手段(260)を含み、
前記ディスク通過検知手段(116)は、前記第２ガイド(202)が前記払出位置(DP)へ移動されたことを検知して前記ディスク(102)の計数のための検知信号(DS)を出力すること
を特徴とする不正防止装置を備えたディスクホッパ。
【請求項９】
前記邪魔手段(260)は、前記払出通路(208)における前記ディスク(102)の進行を阻止する邪魔位置(OP)に進行した当該邪魔手段(260)によって進行を阻止されたディスクの後端が前記ガイド穴(132)の外周に位置した状態で停止する位置関係に配置され、
後続のディスク(102)が当該ディスク(102)後端によって案内され、前記回転ディスク(110)と共に前記ガイド穴(132)内を回動されることを特徴とする請求項8の不正防止装置を備えたディスクホッパ。
【手続補正２】
【補正対象書類名】明細書
【補正対象項目名】００１０
【補正方法】変更
【補正の内容】
【００１０】
この構成によれば、通常、ディスクが回転ディスクの押出部によって押されることにより第１ガイドに案内されつつ第２ガイドを移動させる。
この第２ガイドの移動に連動して邪魔手段が払出通路に進出する。
詳述すれば、第２ガイドが払出位置にある場合、邪魔手段は払出通路に位置し、ディスクの通過を阻止する。
第２ガイドが待機位置にある場合、邪魔手段は払出通路から退避する。
ディスクの直径部が第１ガイドと第２ガイドとの間を通過した直後、第２ガイドに対する付勢力により、ディスクは勢いよく払出通路に弾き出される。
したがって、ディスクが邪魔手段に達するとき、第２ガイドの払出位置から待機位置への移動に連動して邪魔手段が払出通路から退出するので、ディスクは邪魔手段に移動を阻止されることなく払い出される。
第２ガイドの移動によりディスク通過検知手段がディスクの払出を検知して検知信号を出力するので、この検知信号を計数することにより、払出を開始してからのディスクの総払出数を計数する。
第２ガイドが故意に払出位置に移動された場合、その移動に連動して邪魔手段が払出通路に位置する。
これにより、一枚目のディスクが押出部によって払出通路へ押し出され、直径部が第１ガイドと第２ガイドとの間を通過した直後に邪魔手段によって停止される。
このため、次のディスクが前記一枚目のディスクに邪魔されて払出通路に移動することができない。
これにより、次のディスクは一枚目のディスクの後端に案内されて回転ディスクの押出部によって押されつつ回転ディスクと共に移動する。
もし、邪魔手段に停止されていたディスクが払い出される場合、邪魔手段はそのディスクによって強制的に移動されることから、第２ガイドは待機位置に移動する。
これにより、第２ガイドの移動が直接的又は間接的にディスク通過検知手段によって検知されることにより、ディスクの払出が検出される。
したがって、払い出されるディスクを確実にカウントできる利点がある。